(57)【特許請求の範囲】
【請求項１】
モータを収容したハウジングからハンドルが上方に突出して形成されて、電源となるバッテリーパックによる前記モータの駆動で動作する切断刃を備えた切断機であって、
前記ハウジングにおける前記ハンドルの後方に、上面が開口して前記バッテリーパックを上から差し込み装着可能な差込部を形成し、
前記差込部は、前記ハウジングの上下方向で前記ハンドルよりも下側に配置されて、前記バッテリーパックを前記差込部に差し込み装着した状態では、前記バッテリーパックの上面が前記上下方向で前記ハンドルの上面よりも下側に配置されることを特徴とする切断機。
【請求項２】
前記差込部は、前記ハウジングに連設されて前記ハンドルと繋げて一体にされたことを特徴とする請求項１に記載の切断機。
【請求項３】
前記差込部の下端に、該差込部の内部と前記ハウジングの外部とを連通させる開口部を設けたことを特徴とする請求項１又は２に記載の切断機。
【発明の詳細な説明】
【技術分野】
【０００１】
この発明は、モータを収容したハウジングからハンドルが上方に突出して形成されて、バッテリーパックによる前記モータの駆動で動作する切断刃を備えた切断機に関する。
【背景技術】
【０００２】
例えば特許文献１に開示された切断機のように、モータ等に電力を供給するためのバッテリーパックを備えたものがある。この切断機では、モータを収容したハウジングの後端部とハンドルとを連結して、バッテリーパックをハンドルの後端部に対してスライドさせて装着する。
【先行技術文献】
【特許文献】
【０００３】
【特許文献１】特開２００８−１７３７１２号公報
【発明の概要】
【発明が解決しようとする課題】
【０００４】
しかしながら上記の切断機では、バッテリーパックをハンドルに装着する必要があることから、ハンドルの形状がバッテリーパックに合わせて大きくなり使い勝手が悪くなっていた。さらに、バッテリーパックをハンドルの後端部に対して特に上から下へスライドさせて装着するときは、バッテリーパックをハンドルに対し安定してスライドさせる姿勢を保つことが容易ではなく、バッテリーパックをハンドルに装着し難いことがあった。
【０００５】
この発明は、このような状況に鑑み提案されたものであって、使い勝手に優れかつバッテリーパックの装着が容易な切断機を提供することを目的とする。
【課題を解決するための手段】
【０００６】
請求項１の発明に係る切断機は、モータを収容したハウジングからハンドルが上方に突出して形成されて、電源となるバッテリーパックによる前記モータの駆動で動作する切断刃を備えた切断機であって、前記ハウジングにおける前記ハンドルの後方に、上面が開口して前記バッテリーパックを上から差し込み装着可能な差込部を形成し、前記差込部は、前記ハウジングの上下方向で前記ハンドルよりも下側に配置されて、前記バッテリーパックを前記差込部に差し込み装着した状態では、前記バッテリーパックの上面が前記上下方向で前記ハンドルの上面よりも下側に配置されることを特徴とする。
【０００７】
請求項２の発明は、請求項１において、前記差込部は、前記ハウジングに連設されて前記ハンドルと繋げて一体にされたことを特徴とする。
【０００９】
請求項３の発明は、請求項１又は２において、前記差込部の下端に、該差込部の内部と前記ハウジングの外部とを連通させる開口部を設けたことを特徴とする。
【発明の効果】
【００１０】
請求項１の発明に係る切断機によれば、バッテリーパックを差し込み装着する差込部をハウジングにおけるハンドルの後方に形成したことで、ハンドルの形状をバッテリーパックに合わせて大きくする必要がなくなり切断機の使い勝手が優れたものになる。さらに、バッテリーパックが差込部に上から差し込まれることでバッテリーパックを差込部に対し安定してスライドさせる姿勢を保ち、バッテリーパックを切断機に装着することが容易となる。
請求項１の発明によれば、切断機がハンドルを下向きにして落下した場合でも、バッテリーパックの上面がハンドルの上面よりも先に床等に当たることを抑制できる。したがって、バッテリーパックが切断機の落下時に衝撃を受け難くできる。
請求項２の発明によれば、差込部はハウジングとハンドルとに連結されて剛性が向上する。さらにバッテリーパックが差込部に差し込み装着されると、差込部の剛性がバッテリーパックの剛性に合わせてより向上する。
請求項３の発明によれば、差込部の内部に入り込んだ粉塵や雨水等は開口部からハウジングの外部に排出可能となる。よって、粉塵や雨水等が差込部の内部に堆積することを防止できる。
【図面の簡単な説明】
【００１１】
【図１】本発明の実施形態のジグソーの側面図である。
【図２】同ジグソーの要部断面図である。
【図３】バッテリーパックを差込部に差し込み装着した同ジグソーの平面図である。
【図４】バッテリーパックを差込部から抜いた同ジグソーの平面図である。
【発明を実施するための形態】
【００１２】
本発明の実施形態を図１ないし図４を参照しつつ説明する。ジグソー１は、ハウジング１０と、ブレード２０と、ベース３０と、ハンドル４０と、差込部５０とを備えている。なお、ジグソー１は本発明の切断機の一例である。
【００１３】
図２に示すように、ハウジング１０内の中央部には駆動源としてのモータＭが収容されて、ハウジング１０内の前部には往復動機構１１が収容されている。モータＭの出力軸Ｍ１にはモータＭの冷却用ファンＦが取り付けられている。加えて、出力軸Ｍ１には往復動機構１１の駆動ギヤ１１Ａが噛み合わされている。この出力軸Ｍ１は、ハウジング１０内に取り付けられた軸受け１２によって回転可能に支持されている。また、駆動ギヤ１１Ａは、ハウジング１０内に固定された軸部１３に軸受けを介して回転可能に支持されている。駆動ギヤ１１Ａの前面で偏心位置には作動部１４が固定されている。作動部１４は、駆動ギヤ１１Ａの回転により軸部１３を中心として公転する。さらに、ハウジング１０内の前部では、ロッドＲが作動部１４に支持されている。ロッドＲは作動部１４の公転に伴って上下動する。ロッドＲは、作動部１４が公転することにより上下に１往復するようにされている。ロッドＲの下端部はハウジング１０の外部に位置し、この下端部にはブレード取付部１５が設けられている。なお、図１及び図２における上側はハウジング１０の上下方向Ｙの上側を意味し、下側は前記上下方向Ｙの下側を意味する。
【００１４】
ブレード２０は直線状の形状を有しブレード取付部１５に固定される。なお、ブレード２０は本発明の切断刃の一例である。ベース３０は、ベース固定ボルトＢをハウジング１０の下面に螺着させることで該下面に取り付けられている。ベース３０は被切断材（図示せず。）の上面に当接させるために用いられる。
【００１５】
ハンドル４０は、ハウジング１０から上方へ突出してジグソー１の側面視で略門型に形成されている。ハンドル４０の上面は、緩やかな曲面で後方側に向けて傾斜する。ハンドル４０内には、電力をモータＭへ供給又は停止させるためのトリガ４１を有するスイッチＳが収容されている。なお、図１ないし図４における左側はハンドル４０の後方側を意味し右側はハンドル４０の前方側を意味する。
【００１６】
差込部５０は開口部５１（図４参照。）を上面に備えた略筒形状をなしてハウジング１０に凹設されている。差込部５０の内部はバッテリーパック６０の輪郭形状に適合させた形状をなしている。このため、バッテリーパック６０を差込部５０の上から開口部５１を通じて前記内部に差し込み装着できる。この差込部５０は、ハンドル４０の後方でハウジング１０の後方（図２中の左側）へ傾斜させた状態でハウジング１０に連設されて上側へ延びている。差込部５０は上下方向Ｙでハンドル４０よりも下側に配置されている。加えて差込部５０はハンドル４０の後端面と繋げて一体にされている。差込部５０の内部には、図２及び図４に示すように、モータＭとリード線（図示せず。）で電気的に接続された端子Ｔ、Ｔが差込部５０の底部Ｂ１を越えて突出している。バッテリーパック６０が差込部５０に差し込み装着された状態では、端子Ｔ、Ｔはバッテリーパック６０の電極板と電気的に接触可能である。このとき、バッテリーパック６０の係止部６１は差込部５０の内面に係止される。加えてバッテリーパック６０が差込部５０に差し込み装着された状態では、バッテリーパック６０の上面が上下方向Ｙでハンドル４０の上面よりも下側に配置される。また、差込部５０の後面部の下端には、底部Ｂ１の傾斜下端際に排出口５２が設けられている。この排出口５２は差込部５０の内部をハウジング１０の外部と連通させる。本実施形態では、排出口５２を差込部５０の後面部に設けてブレード２０による被切断材の切断部位から離すことで、切断部位から発生した粉塵が排出口５２から差込部５０の内部に入り込むことを防止した。開口部５１から差込部５０の内部に入り込んだ粉塵や雨水等は、底部Ｂ１の傾斜に沿って排出口５２に導かれる。これにより、排出口５２は粉塵や雨水等をハウジング１０の外部に排出する。なお、差込部５０の後面部の下端は本発明の差込部の下端の一例であり、排出口５２は本発明の開口部の一例である。
【００１７】
本実施形態では、差込部５０の内部形状がバッテリーパック６０の輪郭形状に適合することから、差込部５０の内部は、バッテリーパック６０を前記内部に対して抜き差しするときの案内面となる。これにより、バッテリーパック６０を開口部５１を通じて前記内部に沿って摺動させることで、バッテリーパック６０を差込部５０に対してスムーズに着脱できる。上記のトリガ４１をハンドル４０内に向けて押し込むことでスイッチＳがオン状態になると、電源となるバッテリーパック６０はモータＭに電力を供給してモータＭが駆動される。これに伴って駆動ギヤ１１Ａが回転すると、ブレード２０がロッドＲと共に上下方向Ｙに往復動して被切断材を切断する。
【００１８】
本実施形態のジグソー１では、差込部５０をハウジング１０におけるハンドル４０の後方に形成したことで、ハンドル４０の形状をバッテリーパック６０に合わせて大きくする必要がなくなりジグソー１は使い勝手に優れたものになる。さらに、バッテリーパック６０が差込部５０に上から差し込まれることでバッテリーパック６０を差込部５０に対し安定してスライドさせる姿勢を保ち、バッテリーパック６０をジグソー１に装着することが容易となる。
【００１９】
また、差込部５０はハウジング１０とハンドル４０とに連結されて剛性が向上する。さらにバッテリーパック６０が差込部５０に差し込み装着されると、差込部５０の剛性がバッテリーパック６０の剛性に合わせてより向上する。
【００２０】
さらにジグソー１がハンドル４０を下向きにして落下した場合でも、バッテリーパック６０の上面がハンドル４０の上面よりも先に床等に当たることを抑制できる。したがって、バッテリーパック６０がジグソー１の落下時に衝撃を受け難くできる。
【００２１】
加えて、底部Ｂ１の傾斜下端際における差込部５０の後面部に排出口５２を設けたことで、差込部５０の内部に入り込んだ粉塵や雨水等は底部Ｂ１の傾斜に沿って排出口５２に導かれる。これにより、粉塵や雨水等を排出口５２からハウジング１０の外部に排出できる。
【００２２】
本発明は、上述した実施形態に限定されるものではなく、発明の趣旨を逸脱しない範囲内において構成の一部を適宜変更して実施できる。例えば上述した実施形態では、差込部５０をハンドル４０の後端面と一体にしたがこれに限らず、差込部５０を前記後端面と分離した上でハンドル４０の後方でハウジング１０に連設させて配置してもよい。また差込部５０はハウジング１０の後方へ傾斜して形成することに限らず、ハウジング１０と直交させた状態でハウジング１０に連設させてもよい。この場合には、差込部５０の内部に入り込んだ粉塵等を前記内部にバッテリーパック６０を差し込むときの前記内部における空気の移動によって排出口５２から押し出すことができる。よって、粉塵等が差込部５０の内部に堆積することを防止できる。さらに上述した実施形態とは異なり、排出口を底部Ｂ１に設けた上でこの排出口に接続された排出路をモータＭが収容されたハウジング１０の外部に連通させて、粉塵等を排出口から排出路を通じてハウジング１０の外部に排出してもよい。加えて本発明をジグソーに限らずカッタやレシプロソー等の電動工具に適用してもよい。
【符号の説明】
【００２３】
１・・ジグソー、１０・・ハウジング、２０・・ブレード、４０・・ハンドル、５０・・差込部、５１・・開口部、５２・・排出口、６０・・バッテリーパック、Ｂ１・・差込部の底部、Ｍ・・モータ、Ｙ・・ハウジングの上下方向。
【図１】
0005618784.tif 000002
【図２】
0005618784.tif 000003
【図３】
0005618784.tif 000004
【図４】
0005618784.tif 000005